(57)【要約】【課題】強い日差しの場合でも日焼けを防止し、しかも使いやすくて安価な日除けマスクを提供すること。【解決手段】前面側にひさし部２を有するサンバイザーや帽子などのかぶり物１の該ひさし部２に着脱自在に装着可能な日除けマスク本体１０を形成する。日除けマスク本体１０にはかぶり物１のひさし部２の下面側に装着する装着手段として切り欠き１２により形成される上保持部１３と、舌片状の下保持部１４とを形成する。日除けマスク本体１０に人の目に対応した穴１１を備えており、日除けマスク本体１０を倒して顔面の日焼けを防止を行なう。【選択図】図６
2019218661.tif 000002
【特許請求の範囲】
【請求項１】
前面側にひさし部（２）を有するサンバイザーや帽子などのかぶり物（１）の該ひさし部（２）に着脱自在に装着可能な日除けマスク本体（１０）を形成し、
前記日除けマスク本体（１０）には前記かぶり物（１）のひさし部（２）の下面側に装着する装着手段と、
前記日除けマスク本体（１０）に人の目に対応した穴（１１）を備えており、
前記日除けマスク本体（１０）を倒して顔面の日焼けを防止を行なうようにしていることを特徴とする日除けマスク。
【請求項２】
前記日除けマスク本体（１０）の装着手段は、
該日除けマスク本体（１０）の上部の横方向に線状に切り欠いた切り欠き（１２）により形成される上保持部（１３）と、
該日除けマスク本体（１０）の下部に揺動自在に形成した下保持部（１４）とで構成していることを特徴とする請求項１に記載の日除けマスク。
【請求項３】
前記日除けマスク本体（１０）の装着手段は、
該日除けマスク本体（１０）の上部両側の表面に設けた第１のフック（２２）と、
前記第１のフック（２２）と嵌合し、前記かぶり物（１）のひさし部（２）の下面に設けた第２のフック（２３）と、
該日除けマスク本体（１０）の下部に揺動自在に形成した下保持部１４とで構成していることを特徴とする請求項１に記載の日除けマスク。
【請求項４】
前記日除けマスク本体（１０）の装着手段は、
該日除けマスク本体（１０）の上部両側の表面と、該日除けマスク本体（１０）の下部表面とにそれぞれ設けた第１のフック（２２）と、
前記第１のフック（２２）とそれぞれ嵌合し、前記かぶり物（１）のひさし部（２）の下面に設けた第２のフック（２３）とで構成していることを特徴とする請求項１に記載の日除けマスク。
【請求項５】
前記日除けマスク本体（１０）は、紙材で構成していることを特徴とする請求項１〜請求項４のいずれかに記載の日除けマスク。
【発明の詳細な説明】
【技術分野】
【０００１】
本発明は、ひさし付きの帽子やサンバイザーなどのかぶり物に装着して使用する日除けマスクに関するものである。
【背景技術】
【０００２】
図１６は一般的なサンバイザーの斜視図を、図１７は帽子（キャップ）の斜視図をそれぞれ示している。これらサンバイザーや帽子にはそれぞれ日除け用のひさし部２を備えており、ひさし部２付きのサンバイザーや帽子などのかぶり物１は従来より提供されている。
【０００３】
日差しが強い場合や、スポーツの観戦時や、釣り等において太陽の光を遮るためにこれのかぶり物１を頭にかぶる。
【発明の概要】
【発明が解決しようとする課題】
【０００４】
しかしながら、かぶり物１のひさし部２によりある程度は日差しを避けることは可能であるものの、太陽が傾いてきて日差しが顔の正面に当たってくると顔はもちろん目の部分には強い日差しが照射されてしまう。
このような場合、スポーツの観戦も見づらくなり、また、釣りの場合では浮きの状態も見づらくなり、また顔全体が日焼けしてしまい、特に女性の場合には日除け止めクリームを塗る必要がある。
【０００５】
本発明は上述の問題点に鑑みて提供したものであって、強い日差しの場合でも日焼けを防止し、しかも使いやすくて安価な日除けマスクを提供することを目的とするものである。
【課題を解決するための手段】
【０００６】
そこで、本発明の請求項１に記載の日除けマスクでは、前面側にひさし部２を有するサンバイザーや帽子などのかぶり物１の該ひさし部２に着脱自在に装着可能な日除けマスク本体１０を形成し、
前記日除けマスク本体１０には前記かぶり物１のひさし部２の下面側に装着する装着手段と、前記日除けマスク本体１０に人の目に対応した穴１１を備えており、前記日除けマスク本体１０を倒して顔面の日焼けを防止を行なうようにしていることを特徴としている。
【０００７】
請求項２に記載の日除けマスクでは、前記日除けマスク本体１０の装着手段は、該日除けマスク本体１０の上部の横方向に線状に切り欠いた切り欠き１２により形成される上保持部１３と、該日除けマスク本体１０の下部に揺動自在に形成した下保持部１４とで構成していることを特徴としている。
【０００８】
請求項３に記載の日除けマスクでは、前記日除けマスク本体１０の装着手段は、該日除けマスク本体１０の上部両側の表面に設けた第１のフック２２と、前記第１のフック２２と嵌合し、前記かぶり物１のひさし部２の下面に設けた第２のフック２３と、該日除けマスク本体１０の下部に揺動自在に形成した下保持部１４とで構成していることを特徴としている。
【０００９】
請求項４に記載の日除けマスクでは、前記日除けマスク本体１０の装着手段は、該日除けマスク本体１０の上部両側の表面と、該日除けマスク本体１０の下部表面とにそれぞれ設けた第１のフック２２と、前記第１のフック２２とそれぞれ嵌合し、前記かぶり物１のひさし部２の下面に設けた第２のフック２３とで構成していることを特徴としている。
【００１０】
請求項５に記載の日除けマスクでは、前記日除けマスク本体１０を紙材で構成していることを特徴としている。
【発明の効果】
【００１１】
本発明の請求項１に記載の日除けマスクによれば、前面側にひさし部２を有するサンバイザーや帽子などのかぶり物１の該ひさし部２に着脱自在に装着可能な日除けマスク本体１０を形成し、前記日除けマスク本体１０には前記かぶり物１のひさし部２の下面側に装着する装着手段と、前記日除けマスク本体１０に人の目に対応した穴１１を備えており、前記日除けマスク本体１０を倒して顔面の日焼けを防止を行なうようにしているので、日除けマスク本体１０をかぶり物１のひさし部２の装着することで、日差しの強い場合、例えばスポーツ観戦時、釣り等の正面からの日差しによる顔面の日焼けを防ぐことができる。
また、既に市販されているサンバイザーや帽子などのかぶり物１に本日除けマスク本体１０を後付けすることで、簡単に日焼けを防止することができる。必要のない時は日除けマスク本体１０をかぶり物１のひさし部２の下面に位置させることで邪魔にはならず、日差しが強い必要な時だけ日焼けの防止を行なうことができる。
また、前方の確認は日除けマスク本体１０の目に対応した穴１１からでき、目以外の部分はすべて日除けマスク本体１０によって日差しを避けることができ、日除けクリームを不要である。なお、目自体の保護はサングラスをかけることで保護することができる。
また、日除けマスク本体１０の表面に各種の柄、国旗等の図案を施したり、企業名やキャッチフレーズなどを印刷することに色々なメッセージを発することができる。例えば、野球やサッカー、ラグビー等のテレビ中継などでは映像に映ったときなど非常にメッセージ性が強く、広告宣伝にもなる。
また、スポーツの国際試合では顔の国旗を書いて応援する人が多いが、日除けマスク本体１０の表面に国旗を書いて応援する場合、自分で日除けマスク本体１０の表面に簡単に書くことができる。特に、顔に直接国旗等を描く場合は、人に書いてもらう必要があるが、本発明では、自分で書くことができる。
顔に国旗等を書いた場合には、試合の後で洗って消す必要があるが、日除けマスク本体１０を用いた場合には、顔を洗う必要もなく、顔に直接書かないので顔の皮膚を痛めることもない。
このように、従来のサンバイザーや帽子では正面からの日差しには対応できなかったが、本発明の日除けマスク本体１０を用いることで、安価且つ簡単に日差しのカットができ、顔面に多量の日焼け止めクリームを使用しなくてもよく、且つ簡単にかぶり物１に該機能を持たせる必要もないために、現行のひさし部２を備えたどのメーカーのかぶり物１にも対応が簡単であり、使い古せば処分も簡単で公害にもなりにくい。
【００１２】
請求項２に記載の日除けマスクによれば、前記日除けマスク本体１０の装着手段は、該日除けマスク本体１０の上部の横方向に線状に切り欠いた切り欠き１２により形成される上保持部１３と、該日除けマスク本体１０の下部に揺動自在に形成した下保持部１４とで構成していることで、装着手段を簡単な構造で形成でき、しかも、切り欠き１２によりひさし部２に対して移動させることができ、日除けマスク本体１０を倒した場合での、該日除けマスク本体１０と顔面との距離を任意の位置に決めることができる。
【００１３】
請求項３に記載の日除けマスクによれば、前記日除けマスク本体１０の装着手段は、該日除けマスク本体１０の上部両側の表面に設けた第１のフック２２と、前記第１のフック２２と嵌合し、前記かぶり物１のひさし部２の下面に設けた第２のフック２３と、該日除けマスク本体１０の下部に揺動自在に形成した下保持部１４とで構成していることで、第１のフック２２と第２のフック２３と、下保持部１４とで簡単且つ安価に装着手段を形成することができる。
【００１４】
請求項４に記載の日除けマスクによれば、前記日除けマスク本体１０の装着手段は、該日除けマスク本体１０の上部両側の表面と、該日除けマスク本体１０の下部表面とにそれぞれ設けた第１のフック２２と、前記第１のフック２２とそれぞれ嵌合し、前記かぶり物１のひさし部２の下面に設けた第２のフック２３とで構成していることで、第１のフック２２と第２のフック２３とで簡単且つ安価に装着手段を形成することができる。
【００１５】
請求項５に記載の日除けマスクによれば、前記日除けマスク本体１０は、紙材で構成しているので、日除けマスク本体１０を安価で提供でき、使い古せば処分も簡単である。また、日除けマスク本体１０の材料として用いていることで、日除けマスク本体１０自体が軽いため、かぶり物１に装着しても違和感もなく使用することができる。
【図面の簡単な説明】
【００１６】
【図１】本発明の第１の実施の形態における日除けマスク本体の正面図である。
【図２】本発明の第１の実施の形態における日除けマスク本体の斜視図である。
【図３】本発明の第１の実施の形態における日除けマスク本体の側面図である。
【図４】本発明の第１の実施の形態における日除けマスク本体をかぶり物のひさし部の下面に装着した状態の斜視図である。
【図５】発明の第１の実施の形態における日除けマスク本体をかぶり物のひさし部の下面に装着した状態の正面図である。
【図６】発明の第１の実施の形態における日除けマスク本体をかぶり物のひさし部の下面に装着して日除けマスク本体を倒した状態の斜視図である。
【図７】発明の第１の実施の形態における日除けマスク本体をかぶり物のひさし部の下面に装着して日除けマスク本体を倒した状態の正面図である。
【図８】本発明の第２の実施の形態における日除けマスク本体の正面図である。
【図９】本発明の第２の実施の形態における日除けマスク本体をかぶり物のひさし部の下面に装着した場合の斜視図である。
【図１０】本発明の第２の実施の形態における日除けマスク本体をかぶり物のひさし部の下面に装着した場合の正面図である。
【図１１】発明の第２の実施の形態における日除けマスク本体をかぶり物のひさし部の下面に装着して日除けマスク本体を倒した状態の正面図である。
【図１２】本発明の第３の実施の形態における日除けマスク本体の正面図である。
【図１３】本発明の第３の実施の形態における日除けマスク本体をかぶり物のひさし部の下面に装着した場合の斜視図である。
【図１４】本発明の第３の実施の形態における日除けマスク本体をかぶり物のひさし部の下面に装着した場合の正面図である。
【図１５】発明の第２の実施の形態における日除けマスク本体をかぶり物のひさし部の下面に装着して日除けマスク本体を倒した状態の斜視図である。
【図１６】サンバイザーの斜視図である。
【図１７】帽子の斜視図である。
【発明を実施するための形態】
【００１７】
（第１の実施形態）
以下、本発明の第１の実施の形態を図面を参照して詳細に説明する。図１は本発明の日除けマスク本体１０の正面図を、図２は日除けマスク本体１０の斜視図を、図３は日除けマスク本体１０の側面図をそれぞれ示している。
日除けマスク本体１０の材料としては、紙材、樹脂、不織布などの素材を用いているが、軽さ、コスト、焼却等の点で紙材が好適例である。また、日除けマスク本体１０の全体にわたって多少の凹凸をプレスにて形成するようにしても良い。
【００１８】
日除けマスク本体１０の大きさは人の顔の全体を覆う大きさであり、顔に対して多少の大きさは許容される。また、日除けマスク本体１０の形状は所謂マスク形状であり、かぶり物１のひさし部２の湾曲形状に対応して横方向における断面が略円弧状に形成されている。
日除けマスク本体１０の上部の両側には人の目に対応した略メガネ形状の穴１１が一対穿孔されている。日除けマスク本体１０の上部には横方向の略全長にわたって線状の切り欠き１２が形成されており、この切り欠き１２の上の帯状の部分に日除けマスク本体１０の上部をかぶり物１に保持する上保持部１３を形成している。
【００１９】
また、日除けマスク本体１０の下部の略中央部分には略三角形状の下保持部１４が形成されており、この下保持部１４の下端は日除けマスク本体１０自体と一体となっている。そして、この下保持部１４は下部を軸として揺動自在としてある。
日除けマスク本体１０はかぶり物１のひさし部２に着脱自在に装着されるものである。
【００２０】
次に、日除けマスク本体１０をかぶり物１のひさし部２に装着する場合について説明する。図４は日除けマスク本体１０をかぶり物１のひさし部２に装着した場合の斜視図を、図５は日除けマスク本体１０をかぶり物１のひさし部２に装着した場合の正面図をそれぞれ示している。
先ず、日除けマスク本体１０を装着する前に上保持部１３を少し持ち上げて切り欠き１２の部分を開口し、その状態でかぶり物１のひさし部２を挿入していく。そして、日除けマスク本体１０の下保持部１４を少し起こしてひさし部２の先端部分を係止して日除けマスク本体１０をかぶり物１のひさし部２に保持させる。
【００２１】
この状態では、日除けマスク本体１０はかぶり物１のひさし部２の下面に装着された状態となっている。そして、日差しが強い場合や、太陽が傾いてきて日差しが顔に当たる場合には、日除けマスク本体１０を少し前方にずらせて下保持部１４をひさし部２から外して日除けマスク本体１０が顔の前面側に位置するように倒す。
このとき、日除けマスク本体１０は上保持部１３にてかぶり物１のひさし部２の基部付近で保持されているので、日除けマスク本体１０がひさし部２から脱落するのを防いでいる。また、顔を日除けマスク本体１０の間の寸法は、日除けマスク本体１０をひさし部２の突出方向に移動させることで、任意の位置に日除けマスク本体１０を保持させることができる。図６はこの状態の斜視図を示し、また、図７は正面図をそれぞれ示している。
【００２２】
このように、日除けマスク本体１０をかぶり物１のひさし部２の装着することで、日差しの強い場合、例えばスポーツ観戦時、釣り等の正面からの日差しによる顔面の日焼けを防ぐことができる。
また、既に市販されているサンバイザーや帽子などのかぶり物１に本日除けマスク本体１０を後付けすることで、簡単に日焼けを防止することができる。必要のない時は日除けマスク本体１０をかぶり物１のひさし部２の下面に位置させることで邪魔にはならず、日差しが強い必要な時だけ日焼けの防止を行なうことができる。
【００２３】
また、前方の確認は日除けマスク本体１０の目に対応した穴１１からでき、目以外の部分はすべて日除けマスク本体１０によって日差しを避けることができ、日除けクリームを不要である。なお、目自体の保護はサングラスをかけることで保護することができる。
なお、日除けマスク本体１０の上保持部１３の下面に例えば、両面テープを設けることで、日除けマスク本体１０をひさし部２の前後方向における任意の位置に確実に装着させることができる。
【００２４】
また、日除けマスク本体１０の表面に各種の柄、国旗等の図案を施したり、企業名やキャッチフレーズなどを印刷することに色々なメッセージを発することができる。例えば、野球やサッカー、ラグビー等のテレビ中継などでは映像に映ったときなど非常にメッセージ性が強く、広告宣伝にもなる。
また、スポーツの国際試合では顔の国旗を書いて応援する人が多いが、日除けマスク本体１０の表面に国旗を書いて応援する場合、自分で日除けマスク本体１０の表面に簡単に書くことができる。特に、顔に直接国旗等を描く場合は、人に書いてもらう必要があるが、本発明では、自分で書くことができる。
【００２５】
顔に国旗等を書いた場合には、試合の後で洗って消す必要があるが、日除けマスク本体１０を用いた場合には、顔を洗う必要もなく、顔に直接書かないので顔の皮膚を痛めることもない。
【００２６】
このように、従来のサンバイザーや帽子では正面からの日差しには対応できなかったが、本発明の日除けマスク本体１０を用いることで、安価且つ簡単に日差しのカットができ、顔面に多量の日焼け止めクリームを使用しなくてもよく、且つ簡単にかぶり物１に該機能を持たせる必要もないために、現行のひさし部２を備えたどのメーカーのかぶり物１にも対応が簡単であり、使い古せば処分も簡単で公害にもなりにくい。
また、日除けマスク本体１０の材料として、紙材や不織布などを用いている場合では、日除けマスク本体１０自体が軽いため、かぶり物１に装着しても違和感もなく使用することができる。
【００２７】
なお、上記実施形態では、日除けマスク本体１０を後付けのものとして説明したが、かぶり物１を販売する場合に、かぶり物１と日除けマスク本体１０とをセットとして販売するようにしても良い。
【００２８】
（第２の実施形態）
第２の実施形態について図８〜図１１により説明する。図８は日除けマスク本体１０の正面図を示し、日除けマスク本体１０の上部の両側の舌片２１にフック２２を設けたものである。日除けマスク本体１０の他の構成は上記実施形態と同様である。
かぶり物１のひさし部２の下面の両側にも日除けマスク本体１０のフック２２と嵌合するフック２３を設けている。
【００２９】
図９は日除けマスク本体１０をフック２２、２３と下保持部１４によりかぶり物１のひさし部２の下面に装着した状態の斜視図を示し、図１０は正面図を示している。図１１は下保持部１４をひさし部２から外してひさし部２を倒した状態の正面図を示している。
また、本実施形態では第１のフック２２と第２のフック２３、及び下保持部１４とで装着手段を簡単且つ安価に構成することができる。
【００３０】
（第３の実施形態）
第３の実施形態を図１２〜図１５に示す。フック２２の３点止めとした場合であり、下保持部１４を形成せずに、穴１１の下方にフック２２を設け、また、このフック２２に対応したひさし部２の下面にもフック２３を設けている。
【００３１】
第２、第３の実施形態においても第１の実施形態と同様の効果を奏する。なお、第２、第３の実施形態では、フック２２、２３を使用しているので、かぶり物１と日除けマスク本体１０とセットとして販売するのが好適例である。
もちろん、かぶり物１のひさし部２に取り付けるフック２３を日除けマスク本体１０のフック２２に装着しておき、日除けマスク本体１０単独で後付けするタイプのものとして販売するようにしても良い。この場合、フック２３はかぶり物１のひさし部２の下面に取り付けて使用する。
【００３２】
本実施形態では、第１のフック２２と第２のフック２３とで装着手段を簡単且つ安価に構成することができる。
【００３３】
なお、上記各実施形態において、日除けマスク本体１０を使用しない場合は、かぶり物１から日除けマスク本体１０を取り外してかぶり物１のみとして使用することもできる。
【符号の説明】
【００３４】
１  かぶり物
２  ひさし部
１０  日除けマスク本体
１１  穴
１２  切り欠き
１３  上保持部
１４  下保持部
２２  第１のフック
２３  第２のフック
【図１】
2019218661.tif 000003
【図２】
2019218661.tif 000004
【図３】
2019218661.tif 000005
【図４】
2019218661.tif 000006
【図５】
2019218661.tif 000007
【図６】
2019218661.tif 000008
【図７】
2019218661.tif 000009
【図８】
2019218661.tif 000010
【図９】
2019218661.tif 000011
【図１０】
2019218661.tif 000012
【図１１】
2019218661.tif 000013
【図１２】
2019218661.tif 000014
【図１３】
2019218661.tif 000015
【図１４】
2019218661.tif 000016
【図１５】
2019218661.tif 000017
【図１６】
2019218661.tif 000018
【図１７】
2019218661.tif 000019